(57)【要約】【課題】人や物の状態を自動で判定し、かつ管理することを可能とする。【解決手段】通知信号を受信する受信手段５１と、状態検出ロジックを管理する状態検出ロジック管理手段５３と、管理対象ＩＤ、状態検出ロジックにより検出された状態、及び前記状態検出ロジックにより指定された状態を通知する際の時間帯や状態検出タグのタグＩＤ等の通知条件を管理する状態管理手段５４と、状態検出タグのタグＩＤ、管理対象ＩＤ及び管理対象となる人や物の状態を示すメッセージの通知先アドレス等を管理する状態検出タグ情報管理手段５５と、上記メッセージを通知先の端末に送信するメッセージ送信手段５２と、状態検出ロジックを選択して起動し、状態検出ロジックに従って通知されたタグＩＤやリーダＩＤ及び時間帯等の条件から管理対象である人や物の状態を判定し、該判定結果を前記状態管理手段に記録するとともに、管理する制御手段５６とを有する。【選択図】      図１
2004258734.tif 000002
【特許請求の範囲】
【請求項１】
無線タグに予め書き込まれた識別子（タグＩＤ）や該タグＩＤを読み取る読み取り装置の識別子（リーダＩＤ）から前記無線タグや前記読み取り装置を所有する人や設置した物を特定し、あらかじめ指定された状態検出ロジックに従って、通知された前記タグＩＤや前記リーダＩＤ及び時間帯等の条件から人や物の状態を判定し、管理することを特徴とする無線タグを用いた状態判定方法。
【請求項２】
前記状態検出ロジックとして、前記タグＩＤや前記リーダＩＤ及びその通知信号を受信した時間帯等の条件と、当該無線タグや当該読み取り装置を所有する人や設置した物の状態及びその通知条件との対応関係を、条件式やテーブル等の形式により指定可能としたことを特徴とする請求項１に記載の無線タグを用いた状態判定方法。
【請求項３】
特定の無線タグ（状態検出タグ）のタグＩＤと、人や物の状態を示すメッセージの通知先アドレスとを関連付けて管理し、読み取り装置で状態検出タグのタグＩＤを読み取った通知信号を受信した場合に、該当する人や物の状態を示すメッセージを通知先のアドレスに送信し、さらに該当する人や物の状態が変化した場合や一定時間経過した場合にも状態を示すメッセージを前記通知先のアドレスに送信することを特徴とする請求項１または２のいずれかに記載の無線タグを用いた状態判定方法。
【請求項４】
特定の無線タグ（状態検出タグ）を名刺、商品パッケージや商品の管理棚や陳列棚等に設置し、名刺の所有者や、商品の購入者または管理者等が読み取り装置を使用して前記状態検出タグのタグＩＤを読み取った通知信号を前記読み取り装置から受信した場合に、前記名刺に表示された人の位置や状況、前記商品に関連する商品の入荷状況やコールセンタの通話可否等の状態を検出し、当該状態を示すメッセージを通知先のアドレスに送信することを特徴とする請求項１または２のいずれかに記載の無線タグを用いた状態判定方法。
【請求項５】
読み取り装置で無線タグに予め書き込まれたタグＩＤを読み取った通知信号を当該読み取り装置から受信し、該通知信号に基づいて人や物の状態を判定する状態判定システムであって、
前記読み取り装置より無線タグのタグＩＤを読み取った通知信号を受信する受信手段と、
前記通知信号により通知されたタグＩＤや読み取り装置の識別子（リーダＩＤ）及び時間帯等の条件から人や物の状態を判定するための状態検出ロジックを管理する状態検出ロジック管理手段と、
状態を管理する対象となる人や物の識別子である管理対象ＩＤ、状態検出ロジックにより検出された状態、及び前記状態検出ロジックにより指定された状態を通知する際の時間帯や状態検出タグのタグＩＤ等の通知条件を管理する状態管理手段と、
状態検出タグのタグＩＤ、管理対象ＩＤ及び管理対象となる人や物の状態を示すメッセージの通知先アドレス等の状態検出タグに関連する情報を管理する状態検出タグ情報管理手段と、
前記状態検出ロジックにより判定した管理対象である人や物の状態をメッセージとして通知先のユーザが所有する端末に送信するメッセージ送信手段と、
前記状態検出ロジック管理手段より状態検出ロジックを選択して起動し、状態検出ロジックに従って通知されたタグＩＤやリーダＩＤ及び時間帯等の条件から管理対象である人や物の状態を判定し、該判定結果を前記状態管理手段に記録するとともに、管理する制御手段と、
を有することを特徴とする無線タグを用いた状態判定システム。
【請求項６】
前記状態検出ロジック管理手段では、状態検出ロジックとして、タグＩＤやリーダＩＤ及びその通知信号を受信した時間帯等の条件と、当該無線タグや当該読み取り装置を所有する人や設置した物の状態及びその通知条件との対応関係を、条件式やテーブル等の形式により指定可能としたことを特徴とする請求項５に記載の無線タグを用いた状態判定システム。
【請求項７】
前記制御手段は、
前記通知信号に含まれるタグＩＤと前記状態検出タグ情報管理手段で管理するタグＩＤの照合により、当該無線タグが状態検出タグであることが判明した場合に、当該状態検出タグのタグＩＤに関連付けて管理されている管理対象ＩＤで特定される人や物の状態を前記状態管理手段より取得し、該状態を示すメッセージを送信し、さらに該当する人やものの状態が変化した場合や一定時間経過した場合にも状態を示すメッセージを通知先のアドレスに送信するように前記メッセージ送信手段に指示する手段を有することを特徴とする請求項５または６のいずれかに記載の無線タグを用いた状態判定システム。
【発明の詳細な説明】
【０００１】
【発明の属する技術分野】
本発明は、無線タグを用いた状態判定方法及びそれを実現するための状態判定システムに関する。
【０００２】
【従来の技術】
近年、パーソナルコンピュータや移動体端末等が普及しており、これらの端末はユーザの気持ちや状況等の状態を示すメッセージを送信するツールを組み込むことにより、インターネット等の通信ネットワークを介して他の端末との間で、このようなメッセージを交換することが可能となっている（例えば、特許文献１参照）。
【０００３】
一方、このような端末ユーザを自動で識別する方法として、複数の端末が配置された室内またはフィールド環境において、ユーザが無線タグを携帯している場合にその無線タグとの交信により、接近した端末の起動とともに、ユーザの識別や認証を行うことが可能となっている（例えば、特許文献２参照）。
【０００４】
【特許文献１】
特許第３３０４８８７号公報
【特許文献２】
特開２００２−１５７０４０号公報
【０００５】
【発明が解決しようとする課題】
このように、ツールを利用して他のユーザとの間で状態を示すメッセージを交換する際、ユーザの識別や認証は無線タグを用いて自動で行うことが可能であるが、ユーザの状態を自動で判定することは必ずしも可能では無いため、当該ユーザの状態が変化する度に、それを他のユーザに伝えるためのメッセージ入力やメニュー選択を必要とする場合があり、この作業のための手間を要した。
本発明はこのような事情に鑑みてなされたものであり、ユーザや物の状態を自動で判定し、かつ管理することができる無線タグを用いた状態判定方法及び状態判定システムを提供することを目的とする。
【０００６】
【課題を解決するための手段】
上記目的を達成するために、請求項１に記載の発明は、無線タグに予め書き込まれた識別子（タグＩＤ）や該タグＩＤを読み取る読み取り装置の識別子（リーダＩＤ）から前記無線タグや前記読み取り装置を所有する人や設置した物を特定し、あらかじめ指定された状態検出ロジックに従って、通知された前記タグＩＤや前記リーダＩＤ及び時間帯等の条件から人や物の状態を判定し、管理することを特徴とする。
【０００７】
また、請求項２に記載の発明は、請求項１に記載の無線タグを用いた状態判定方法において、前記状態検出ロジックとして、前記タグＩＤや前記リーダＩＤ及びその通知信号を受信した時間帯等の条件と、当該無線タグや当該読み取り装置を所有する人や設置した物の状態及びその通知条件との対応関係を、条件式やテーブル等の形式により指定可能としたことを特徴とする。
【０００８】
また、請求項３に記載の発明は、請求項１または２のいずれかに記載の無線タグを用いた状態判定方法において、特定の無線タグ（状態検出タグ）のタグＩＤと、人や物の状態を示すメッセージの通知先アドレスとを関連付けて管理し、読み取り装置で状態検出タグのタグＩＤを読み取った通知信号を受信した場合に、該当する人や物の状態を示すメッセージを通知先のアドレスに送信し、さらに該当する人や物の状態が変化した場合や一定時間経過した場合にも状態を示すメッセージを前記通知先のアドレスに送信することを特徴とする。
【０００９】
また、請求項４に記載の発明は、請求項１または２のいずれかに記載の無線タグを用いた状態判定方法において、特定の無線タグ（状態検出タグ）を名刺、商品パッケージや商品の管理棚や陳列棚等に設置し、名刺の所有者や、商品の購入者または管理者等が読み取り装置を使用して前記状態検出タグのタグＩＤを読み取った通知信号を前記読み取り装置から受信した場合に、前記名刺に表示された人の位置や状況、前記商品に関連する商品の入荷状況やコールセンタの通話可否等の状態を検出し、当該状態を示すメッセージを通知先のアドレスに送信することを特徴とする。
【００１０】
また、請求項５に記載の発明は、読み取り装置で無線タグに予め書き込まれたタグＩＤを読み取った通知信号を当該読み取り装置から受信し、該通知信号に基づいて人や物の状態を判定する状態判定システムであって、前記読み取り装置より無線タグのタグＩＤを読み取った通知信号を受信する受信手段と、前記通知信号により通知されたタグＩＤや読み取り装置の識別子（リーダＩＤ）及び時間帯等の条件から人や物の状態を判定するための状態検出ロジックを管理する状態検出ロジック管理手段と、状態を管理する対象となる人や物の識別子である管理対象ＩＤ、状態検出ロジックにより検出された状態、及び前記状態検出ロジックにより指定された状態を通知する際の時間帯や状態検出タグのタグＩＤ等の通知条件を管理する状態管理手段と、状態検出タグのタグＩＤ、管理対象ＩＤ及び管理対象となる人や物の状態を示すメッセージの通知先アドレス等の状態検出タグに関連する情報を管理する状態検出タグ情報管理手段と、前記状態検出ロジックにより判定した管理対象である人や物の状態をメッセージとして通知先のユーザが所有する端末に送信するメッセージ送信手段と、前記状態検出ロジック管理手段より状態検出ロジックを選択して起動し、状態検出ロジックに従って通知されたタグＩＤやリーダＩＤ及び時間帯等の条件から管理対象である人や物の状態を判定し、該判定結果を前記状態管理手段に記録するとともに、管理する制御手段とを有することを特徴とする。
【００１１】
また、請求項６に記載の発明は、請求項５に記載の無線タグを用いた状態判定システムにおいて、前記状態検出ロジック管理手段では、状態検出ロジックとして、タグＩＤやリーダＩＤ及びその通知信号を受信した時間帯等の条件と、当該無線タグや当該読み取り装置を所有する人や設置した物の状態及びその通知条件との対応関係を、条件式やテーブル等の形式により指定可能としたことを特徴とする。
【００１２】
また、請求項７に記載の発明は、請求項５または６のいずれかに記載の無線タグを用いた状態判定システムにおいて、前記制御手段は、前記通知信号に含まれるタグＩＤと前記状態検出タグ情報管理手段で管理するタグＩＤの照合により、当該無線タグが状態検出タグであることが判明した場合に、当該状態検出タグのタグＩＤに関連付けて管理されている管理対象ＩＤで特定される人や物の状態を前記状態管理手段より取得し、該状態を示すメッセージを送信し、さらに該当する人やものの状態が変化した場合や一定時間経過した場合にも状態を示すメッセージを通知先のアドレスに送信するように前記メッセージ送信手段に指示する手段を有することを特徴とする。
【００１３】
【発明の実施の形態】
本発明の実施形態を、図面を参照して詳細に説明する。実施形態の説明に先立ち、本発明の概要について説明する。
ユーザが使用する物や所有する物、周囲の環境等に無線タグを設置した状況下においては、無線タグのタグＩＤや読み取り装置の識別子（リーダＩＤ）を通知する通知信号から無線タグや読み取り装置を設置した位置や物を判定することが可能である。
【００１４】
そこで、例えば「オフィスにいる」、「パーソナルコンピュータを使用している」といったユーザの位置や使用しているものと、「仕事中」といったユーザの状態との間に相関関係がある場合には、ユーザの位置や使用しているものをタグＩＤやリーダＩＤの通知信号を受信して判定し、さらにタグＩＤやリーダＩＤ及び時間帯等の条件とユーザの状態との対応関係を状態検出ロジックとして予め指定しておくことにより、タグＩＤやリーダＩＤを通知する通知信号からユーザの状態を自動で判定し管理することが可能となる。
【００１５】
また、特定の無線タグ（状態検出タグ）のタグＩＤと、状態を示すメッセージの通知先アドレスとを関連付けて管理し、読み取り装置で状態検出タグを読み取った後に通知信号を受信した場合に、当該人や物の状態を示すメッセージを通知先のアドレスに送信することにより、この様な状態を示すメッセージの通知先や通知要否も無線タグを用いて自動で判定することが可能となる。
【００１６】
そこで、例えば、状態検出タグを名刺に設置し、名刺を渡された人が当該無線タグを読み取り装置から読み取った後に状態を示すメッセージの通知先アドレスを指定することにより、名刺を渡された人のアドレスに名刺に表示された人の位置や状況等を示すメッセージを受信するといった使用法や、状態検出タグを商品の陳列棚に設置し、当該商品が品切れの際に顧客が当該無線タグのタグＩＤを読み取り装置から読み取った後に状態を示すメッセージの通知先アドレスを指定することにより、商品の入荷状況を示すメッセージを受信するといった使用法を実現し、更なる利便性の向上を図ることが可能となる。
【００１７】
本発明では、読み取り装置で無線タグのタグＩＤを読み取った通知信号を当該読み取り装置から受信するシステムにおいて、タグＩＤやリーダＩＤから当該無線タグや当該読み取り装置を所有する人や設置した物を特定し、予め指定された状態検出ロジックに従って、通知されたタグＩＤやリーダＩＤ及び時間帯等の条件から管理対象である人や物の状態を判定して管理し、また特定の無線タグ（状態検出タグ）のタグＩＤと、人や物の状態を示すメッセージの通知先アドレスとを関連付けて管理し、読み取り装置で状態検出タグのタグＩＤを読み取った通知信号を受信した場合に、該当する人や物の状態を示すメッセージを通知先のアドレスに送信し、さらに該当する人や物の状態が変化した場合や一定時間経過した場合にも状態を示すメッセージを通知先のアドレスに送信することを特徴とする無線タグを用いた状態判定方法と、それを実現するための手段を有する状態判定システムを提供する。
【００１８】
次に、本発明の実施形態に係る無線タグを用いた状態判定方法及び状態判定システムの一形態について、図を用いて説明する。本発明の実施形態に係る無線タグを用いた状態判定システムの構成を図１に示す。
同図において、読み取り装置２で無線タグ１のタグＩＤを読み取った通知信号は、当該読み取り装置２からインターネット等の通信ネットワーク４を介して状態判定システム５に通知される。
【００１９】
なお、この通知信号は、有線または無線の通信手段により、通信ネットワーク４を介さずに読み取り装置２から状態判定システム５に直接送信される形態も可能である。
状態判定システム５で検出した人や物の状態を示すメッセージは、メッセージの通知先として指定されたアドレスをもとに、状態判定システム５からインターネット等の通信ネットワーク４を介して通知先のユーザが使用するパーソナルコンピュータや移動体端末等のユーザ端末３に送信される。
【００２０】
状態判定システム５は、無線タグ読み取り信号受信手段５１と、状態通知メッセージ送信手段５２と、状態検出ロジック管理手段５３と、状態管理手段５４と、状態検出タグ情報管理手段５５と、制御手段５６とを有している。
無線タグ読み取り信号受信手段５１は、インターネット等の通信ネットワーク４を介して読み取り装置２で無線タグ１のタグＩＤを読み取った通知信号を当該読み取り装置２から受信する機能を有する。
【００２１】
また、状態通知メッセージ送信手段５２は、状態検出ロジックにより判定した人や物の状態をメッセージとして通知する際に、制御手段５６の制御下にインターネット等の通信ネットワーク４を介して通知先のユーザが使用するパーソナルコンピュータや移動体端末等の端末３にメッセージを送信する機能を有する。
状態検出ロジック管理手段５３は、通知されたタグＩＤやリーダＩＤ及び時間帯等の条件から管理対象である人や物の状態を判定するための状態検出ロジックを管理する機能を有する。
【００２２】
この様な状態検出ロジックは、状態を発信する人や、状態を発信する物の管理者等が、パーソナルコンピュータや移動体端末等の端末上で定義し設定することを可能とする。そして、状態検出ロジック管理手段５３において、状態検出ロジックは、タグＩＤやリーダＩＤ及びその通知信号を受信した時間帯等の条件と、当該無線タグ１や当該読み取り装置２を所有する人や設置した物の状態及びその通知条件との対応関係を、条件式やテーブル等の形式により指定することができるようになっている。
【００２３】
状態管理手段５４は、状態を管理する対象となる人や物の識別子（管理対象ＩＤ）、状態検出ロジックにより検出された状態、及び状態検出ロジックにより指定された状態を通知する際の時間帯や状態検出タグのタグＩＤ等の通知条件を管理する機能を有する。
状態検出タグ情報管理手段５５は、状態検出タグのタグＩＤ、管理対象ＩＤ及び管理対象となる人や物の状態を示すメッセージの通知先アドレス等を管理する機能を有する。
【００２４】
制御手段５６は、読み取り装置２で無線タグ１のタグＩＤを読み取った通知信号を当該読み取り装置２から受信した際に、タグＩＤやリーダＩＤ等に関係付けられた状態検出ロジックを状態検出ロジック管理手段５３から選択して起動し、当該状態検出ロジックに従って、通知されたタグＩＤやリーダＩＤ及び時間帯等の条件から管理対象である人や物の状態を判定し、その結果を状態管理手段５４に記録する機能を有する。
【００２５】
また、制御手段５６は、前記通知信号に含まれるタグＩＤと状態検出タグ情報管理手段５５で管理するタグＩＤの照合により、当該無線タグが状態検出タグであることが判明した場合に、当該状態検出タグのタグＩＤに関連付けて管理されている管理対象ＩＤで特定される人や物の状態を状態管理手段５４より取得し、該状態を示すメッセージを送信し、さらに該当する人や物の状態が変化した場合や一定時間経過した場合にも状態を示すメッセージを通知先のアドレスに送信するように状態通知メッセージ送信手段５２に指示する手段（機能）を有する。
【００２６】
なお、状態判定システム５は、読み取り装置２と一体として実現する形態、またはユーザが使用するパーソナルコンピュータや移動体端末等の端末３と一体として実現する形態も可能である。
【００２７】
図２は、状態検出ロジックをテーブルの形式で指定した場合の一例を示している。通知する状態は、親しい相手に通知する場合とそれ以外の相手に通知する場合で異なり、いずれの状態を通知するかは状態検出タグのタグＩＤにより判定する。
なお、ここで例示した状態検出ロジック以外に、通知する状態をリーダＩＤから判定すること、状態に応じて通知先を変更すること、時間帯等の条件により通知する状態や通知の要否を変更すること等の指定も可能とする。
例えば、図２において、管理対象ＩＤ：＃ａｂｃ−００３により特定される人が所有する無線タグから通知されるタグＩＤが００１０３であれば、その人が「仕事中」または「通信不可」の状態であることを判定して管理し、また通信相手が所有する無線タグ（状態検出タグ）のタグＩＤが１０１００であれば、「仕事中」の状態を、１０２００であれば「通信不可」の状態を通知する。
【００２８】
次に、読み取り装置２で無線タグ１のタグＩＤを読み取った通知信号を当該読み取り装置２から受信した際の、本発明に係る状態判定システム５の処理手順を図３に示す。同図において、無線タグ読み取り信号受信手段５１が、インターネット等の通信ネットワーク４を介して読み取り装置２で無線タグ１のタグＩＤを読み取った通知信号を当該読み取り装置２から受信すると（ステップ１００）、制御手段５６は、当該通知信号に含まれるタグＩＤと状態検出タグ情報管理手段５５で管理するタグＩＤとを照合して、当該無線タグ１が状態検出タグであるか否かを判定する（ステップ１０１）。
【００２９】
次いで、ステップ１０２で、当該無線タグ１が状態検出タグでない場合には、ステップ１０３で、制御手段５６は、タグＩＤやリーダＩＤ等に関係付けられた状態検出ロジックを状態検出ロジック管理手段５３から選択して起動し、当該状態検出ロジックに従って、通知されたタグＩＤやリーダＩＤ及び時間帯等の条件から管理対象である人や物の状態を判定する。
【００３０】
さらに、ステップ１０４では、制御手段５６は、状態を管理する対象となる人や物の管理対象ＩＤ、状態検出ロジックにより検出された状態、及び状態検出ロジックにより指定された状態を通知する際の時間帯や状態検出タグのタグＩＤ等の通知条件を状態管理手段５４に記録する。
【００３１】
一方、ステップ１０２で、無線タグ１が状態検出タグである場合には、ステップ１０５で、制御手段５６は、状態検出タグ情報管理手段５５から、状態を通知すべき管理対象ＩＤ、その状態、メッセージの通知先アドレスを検索し、かつ状態管理手段５４から、上記管理対象ＩＤにより特定される人や物の状態、通知条件を検索し、取得する。
そして制御手段５６は、状態管理手段５４で管理する通知条件に状態管理手段５４から取得される状態、時間帯や状態検出タグのタグＩＤ等が合致する場合には、当該状態を示すメッセージを通知先のアドレスに送信するように状態通知メッセージ送信手段５２に指示し、その結果、状態通知メッセージ送信手段５２は通知先のアドレスに上記メッセージを送信する。
この際に、状態管理手段５４で管理する通知条件に状態管理手段５４から取得される状態、時間帯や状態検出タグのタグＩＤ等が合致しない場合はこの状態通知メッセージは送信しない。
【００３２】
さらに、制御手段５６は、状態検出ロジックで指定された状態の通知条件に従って、該当する人や物の状態が変化した場合や一定時間経過した場合にも、該当する人や物の状態を示すメッセージを状態通知メッセージ送信手段５２により通知先のアドレスに送信するように状態通知メッセージ送信手段５２に指示する。
【００３３】
【発明の効果】
本発明によれば、ユーザが使用するものや所有するもの、周囲の環境等に無線タグを設置した状況下において、無線タグに予め書き込まれた識別子（タグＩＤ）や該タグＩＤを読み取る読み取り装置の識別子（リーダＩＤ）から前記無線タグや前記読み取り装置を所有する人や設置した物を特定し、あらかじめ指定された状態検出ロジックに従って、通知された前記タグＩＤや前記リーダＩＤ及び時間帯等の条件から人や物の状態を自動で判定し、かつ管理することができる。
【図面の簡単な説明】
【図１】本発明の実施形態に係る無線タグを用いた状態判定システムの構成を示すブロック図。
【図２】状態検出ロジックをテーブル形式で指定した場合の一例を示す説明図。
【図３】本発明の実施形態に係る状態判定システムの、無線タグのタグＩＤを読み取った通知信号を受信した際の処理手順を示すフローチャート。
【符号の説明】
１…無線タグ
２…読み取り装置
３…ユーザ端末
４…通信ネットワーク
５…状態判定システム
５１…無線タグ読み取り信号受信手段
５２…状態通知メッセージ送信手段
５３…状態検出ロジック管理手段
５４…状態管理手段
５５…状態検出タグ情報管理手段
５６…制御手段
【図１】
2004258734.tif 000003
【図２】
2004258734.tif 000004
【図３】
2004258734.tif 000005